(57)【要約】【課題】本考案は、従来の分電盤にはない新規且つ斬新で有用性の高い分電盤を提供することを課題とする。【解決手段】本考案に係る分電盤１は、主開閉器２と複数の分岐開閉器３，３…とをキャビネット４の内部に備える分電盤１にあっては、前記主開閉器２は、前記キャビネット４の前面に向かって前記複数の分岐開閉器３，３…よりも右側に配置されることを特徴とする。また、電流制限器５と主開閉器２と複数の分岐開閉器３，３…とをキャビネット４の内部に備える分電盤１にあっては、前記電流制限器５は、前記キャビネット４の前面に向かって前記主開閉器２よりも右側に配置されることを特徴とする。【選択図】図１
0003132381.tif 000002
【実用新案登録請求の範囲】
【請求項１】
主開閉器と複数の分岐開閉器とをキャビネットの内部に備える分電盤であって、
前記主開閉器は、前記キャビネットの前面に向かって前記複数の分岐開閉器よりも右側に配置されることを特徴とする分電盤。
【請求項２】
電流制限器と主開閉器と複数の分岐開閉器とをキャビネットの内部に備える分電盤であって、
前記電流制限器は、前記キャビネットの前面に向かって前記主開閉器よりも右側に配置されることを特徴とする分電盤。
【請求項３】
前記複数の分岐開閉器は、前記キャビネットの前面に向かって前記主開閉器よりも左側に配置されることを特徴とする請求項２に記載の分電盤。
【考案の詳細な説明】
【技術分野】
【０００１】
本考案は、少なくとも主開閉器と複数の分岐開閉器とをキャビネットの内部に備える分電盤、より具体的には、いわゆる住宅用分電盤に関する。
【背景技術】
【０００２】
従来、少なくとも主開閉器と複数の分岐開閉器とをキャビネットの内部に備える分電盤が各種存在する（例えば、非特許文献１及び特許文献１〜７）。
【０００３】
具体的には、非特許文献１の例図１及び特許文献１，２に開示される分電盤は、主開閉器と複数の分岐開閉器とを備えるものであり、これら内部機器のうち、前記主開閉器は、前記キャビネットの前面に向かって前記複数の分岐開閉器よりも左側に配置されるものである。
【０００４】
また、非特許文献１の例図２〜４及び特許文献３〜７に開示される分電盤は、電流制限器と主開閉器と複数の分岐開閉器とを備えるものであり、これら内部機器の中で、前記電流制限器は、前記キャビネットの前面に向かって前記主開閉器よりも左側に配置されるものである。
【０００５】
【非特許文献１】社団法人日本配線器具工業会  ホームパネル認定業務部会  “認定制度規定・基準集”、[online]、平成１６年4月1日、［平成１９年３月２３日検索］、インターネット<URL：http://www.jewa-hp.jp/nintei.pdf>（第４２頁  例図１及び２，第４３頁  例図３及び４）
【特許文献１】意匠登録第１１９５８９４号公報
【特許文献２】意匠登録第１１２６０４９号公報
【特許文献３】意匠登録第１１９６０１９号公報
【特許文献４】意匠登録第１２４７３６９号公報
【特許文献５】意匠登録第１２４６２８３号公報
【特許文献６】意匠登録第１１９９０９８号公報
【特許文献７】意匠登録第１１１２３４２号公報
【考案の開示】
【考案が解決しようとする課題】
【０００６】
本考案は、上述したような従来の分電盤にはない新規且つ斬新で有用性の高い分電盤を提供することを目的とする。
【課題を解決するための手段】
【０００７】
本考案に係る分電盤は、主開閉器と複数の分岐開閉器とをキャビネットの内部に備える分電盤であって、前記主開閉器は、前記キャビネットの前面に向かって前記複数の分岐開閉器よりも右側に配置されることを特徴とする。
【０００８】
上記構成からなる分電盤は、前記キャビネットの前面側から見ると、主開閉器の左側に複数の分岐開閉器が配置され、背面側から見ると、主開閉器の右側に複数の分岐開閉器が配置される。
【０００９】
また、本考案に係る分電盤は、電流制限器と主開閉器と複数の分岐開閉器とをキャビネットの内部に備える分電盤であって、前記電流制限器は、前記キャビネットの前面に向かって前記主開閉器よりも右側に配置されることを特徴とする。
【００１０】
上記構成からなる分電盤は、前記キャビネットの前面側から見ると、電流制限器の左側に主開閉器が配置され、背面側から見ると、電流制限器の右側に主開閉器が配置される。
【００１１】
また、前記分電盤は、前記複数の分岐開閉器は、前記キャビネットの前面に向かって前記主開閉器よりも左側に配置される構成が好ましい。
【００１２】
上記構成からなる分電盤は、前記キャビネットの前面側から見ると、右から順に電流制限器、主開閉器、複数の分岐開閉器が配置され、背面側から見ると、左から順に、電流制限器、主開閉器、複数の分岐開閉器が配置される。
【考案の効果】
【００１３】
以上のように、本考案に係る分電盤は、従来の分電盤にはない新規且つ斬新で有用性の高い分電盤である。
【考案を実施するための最良の形態】
【００１４】
以下に、本考案に係る分電盤の実施形態について、図面に基づいて説明する。
【００１５】
本実施形態に係る分電盤１は、いわゆる住宅用分電盤と呼ばれるものであり、主開閉器２と複数の分岐開閉器３，３…とをキャビネット４の内部に備え、前記主開閉器２は、前記キャビネット４の前面に向かって前記複数の分岐開閉器３，３…よりも右側に配置される。即ち、前記分電盤１は、前記キャビネット４の前面側から見ると、主開閉器２の左側に複数の分岐開閉器３，３…が配置され、背面側から見ると、主開閉器２の右側に複数の分岐開閉器３，３…が配置される。
【００１６】
また、前記分電盤１は、前記電流制限器５をさらに備え、該電流制限器５は、前記キャビネット４の前面に向かって前記主開閉器２よりも右側に配置される。即ち、前記分電盤１は、前記キャビネット４の前面側から見ると、右から順に、電流制限器５、主開閉器２、複数の分岐開閉器３，３…が配置され、背面側から見ると、左から順に、電流制限器５、主開閉器２、複数の分岐開閉器３，３…が配置される。電流制限器５は、図８によく示されるＬスペースＳに設置される。
【００１７】
前記分電盤１には、電流制限器５及び主開閉器２が１個設けられるとともに、分岐開閉器３が上段及び下段にそれぞれ４個ずつ計８個設けられる。これら８個の分岐開閉器３は、一箇所にまとまって配置され、一つの分岐開閉器群として設けられる。また、前記主開閉器２及び各分岐開閉器３は、キャビネット４の前方に突出する操作レバー２ａ又は３ａをそれぞれ備え、該操作レバー２ａ又は３ａによって開閉操作が行われる。
【００１８】
前記キャビネット４は、前記電流制限器５や主開閉器２や複数の分岐開閉器３，３…などの内部機器を収容する容器であり、正面視長方形状を有する。なお、分電盤１は、キャビネット４の有する長方形状の各辺が水平方向及び鉛直方向に沿う姿勢で壁面等に取り付けられる。
【００１９】
また、前記分電盤１は、キャビネット４の前面を閉塞するドア（若しくは、扉）６を備え、該ドア６は、前記キャビネット４の上部で回転可能に取り付けられる。さらに、前記分電盤１は、前記主開閉器２及び各分岐開閉器３を覆う中ぶた７を備え、該中ぶた７には、操作レバー２ａ及び３ａなど、前記主開閉器２及び各分岐開閉器３の一部分を挿通する挿通部が形成される。
【００２０】
前記中ぶた７の下方位置には、前記ドア６を係止するための係止突起７ａが設けられており、対応する前記ドア６の下方位置には、前記中ぶた７の係止突起７ａに係止される被係止部６ａが設けられている。
【００２１】
図２を参照すると、前記キャビネット４の背面には、前記内部機器（具体的には、電流制限器５）に接続される外部配線（図示しない）を引き込むための配線孔８が形成されている。図２では、該配線孔８を通して、左から順に電流制限器５、主開閉器２、分岐開閉器３，３…の一部が見えている。
【図面の簡単な説明】
【００２２】
【図１】本考案の実施形態に係る分電盤のドアを開けた状態の正面図を示す。
【図２】同実施形態に係る分電盤の背面図を示す。
【図３】同実施形態に係る分電盤のドアを開けた状態の平面図を示す。
【図４】同実施形態に係る分電盤のドアを開けた状態の底面図を示す。
【図５】同実施形態に係る分電盤のドアを開けた状態の側面図を示す。
【図６】同実施形態に係る分電盤のドアを開けた状態の斜視図を示す。
【図７】同実施形態に係る分電盤のドアを閉じた状態の正面図を示す。
【図８】図１に示すＡ−Ａ線断面側面図を示す。
【符号の説明】
【００２３】
１…分電盤、２…主開閉器、２ａ…操作レバー、３…分岐開閉器、３ａ…操作レバー、４…キャビネット、５…電流制限器、６…ドア、６ａ…被係止部、７…中ぶた、７ａ…係止突起、８…配線孔、Ｓ…Ｌスペース
【図１】
0003132381.tif 000003
【図２】
0003132381.tif 000004
【図３】
0003132381.tif 000005
【図４】
0003132381.tif 000006
【図５】
0003132381.tif 000007
【図６】
0003132381.tif 000008
【図７】
0003132381.tif 000009
【図８】
0003132381.tif 000010